(57)【要約】【課題】  利用者に分かりやすい形で折り位置を指定できるとともに、折りを主目的とした印刷に対して利用者の求めるサイズの揃った印刷ができる画像出力装置、画像出力方法、プログラムおよび記録媒体を提供する。【解決手段】  この画像形成装置は、ステープル、パンチ可能なフィニッシャ装置とＺ折り装置を有して、入力された画像データに対して所定の画像処理を行い、画像処理された画像データを出力する画像形成装置であって、転写用紙に作像される画像に対するＺ折り位置を実現する向きに、作像される画像を回転して印刷するようにした。【選択図】  図６
2005269174.tif 000002
【特許請求の範囲】
【請求項１】
フィニッシャ装置とＺ折り装置を有し、入力された画像データに対して画像処理部にて所定の画像処理を行い、画像処理された画像データを用紙に出力する画像形成装置において、用紙に作像される画像に対するＺ折り位置を実現する向きに、作像される画像を回転して印刷することを特徴とする画像形成装置。
【請求項２】
請求項１に記載の画像形成装置において、前記Ｚ折り位置を実現する向きに回転した画像のサイズと合致するサイズの用紙を収容した給紙トレイを選択することを特徴とする画像形成装置。
【請求項３】
請求項１または２に記載の画像形成装置において、前記Ｚ折り位置を実現する向きに回転した画像の用紙サイズが通紙できないサイズの場合には、画像を回転させず、且つ、Ｚ折りをせずに印刷を行うことを特徴とする画像出力装置。
【請求項４】
請求項１、２または３に記載の画像形成装置において、利用者が指定したＺ折り位置の指定を用紙毎に適用することを特徴とする画像形成装置。
【請求項５】
請求項１乃至４のいずれかに記載の画像形成装置において、該画像形成装置で異なる用紙サイズの画像を連続して印刷する場合に、利用者が先頭ページに対して指定したＺ折り位置に合わせて画像を回転することを特徴とする画像形成装置。
【請求項６】
請求項５に記載の画像形成装置において、２ページ目以降を１ページ目と同じ幅になるように画像を回転させて印刷を行うことを特徴とする画像形成装置。
【請求項７】
請求項６に記載の画像形成装置において、前記回転を行った画像に合わせて用紙を選択し、Ｚ折り可能な用紙はＺ折りを行い、また、Ｚ折り不可能なサイズの用紙にはＺ折りを行わないようにして、異なる用紙サイズの画像を利用者の意図する形で印刷するようにしたことを特徴とする画像形成装置。
【請求項８】
請求項５、６または７に記載の画像形成装置において、利用者の指定したＺ折り位置を実現する用紙サイズが存在しない場合には、その旨を利用者に報知して印刷を停止することを特徴とする画像形成装置。
【請求項９】
入力された画像データに対して所定の画像処理を行い、画像処理された画像データを出力させるとともに、Ｚ折りを行ってステープルやパンチを行う画像処理方法において、転写用紙に作像される画像に対するＺ折り位置を実現する向きに、作像される画像を回転して印刷することを特徴とする画像処理方法。
【請求項１０】
コンピュータに、請求項１乃至８のいずれかに記載の画像形成装置の機能を実行させるためのプログラム。
【請求項１１】
請求項１０に記載のプログラムを記録したコンピュータ読み取り可能な記録媒体。
【発明の詳細な説明】
【技術分野】
【０００１】
本発明は、画像形成装置、画像処理方法、プログラムおよび記録媒体に関し、特に、ステープル、パンチ可能なフィニッシャ装置とＺ折り装置を備えた画像形成装置に関し、レーザビームプリンタ、デジタル複写機あるいはデジタル複合機に適用して好適である。
【背景技術】
【０００２】
近年では、コンピュータ、プリンタが普及することによって、個人的に多くの資料（書類）が作成されるようになった。
このようにして作成される資料には、Ａ４、Ａ３、Ｂ４、Ｂ５といった種々のサイズの用紙が使われている。
このような種々のサイズで印刷された用紙をまとめて１冊の文書（冊子）にまとめる場合には、ベースになる用紙サイズに合わせて、人手によって大きなサイズの用紙を折り畳み、ステープラやパンチ穴をあけるようにしていた。
一方、特許文献１に記載の技術では、折り畳み位置を容易に変更でき、所望する位置で用紙を確実に折り畳みできる用紙折り畳み機構を提供している。
また、特許文献２に記載の技術では、縦方向に連続した紙を一定の横幅で円筒形の心棒に巻き取った状態のロールを用いて、例えばグリーティングカードのようなカード上に画像を形成し、二つ折りや三つ折りなどの折り曲げに適したプリントカードを作成できるプリントカード作成装置を提供している。
さらに、特許文献３に記載の技術では、出力する用紙の大きさや折り方を入力し、入力された折り方に基づいて折り線または枠の位置を設定し、設定された折り線または枠に基づいて出力される画像の大きさおよび／または配置を設定することにより、法帳折りや三つ折りを前提とした広幅用紙サイズや長尺用紙サイズの画像形成が可能な画像形成装置を提供している。
【特許文献１】特開２００３−０２０１６３公報
【特許文献２】特開２０００−１４１７９３公報
【特許文献３】特開２０００−０９２３０７公報
【発明の開示】
【発明が解決しようとする課題】
【０００３】
上述のような従来技術のＺ折り装置では、Ａ３、Ｂ４のみの折りが可能で、通紙した折り可能な用紙はすべて折るという動作を行っていた。
しかしながら、種々のサイズの用紙に印刷する場合や、種々のサイズに印刷された用紙の複写を作成する場合には、印刷または複写された用紙がどの位置で折られ、どの方向に排紙されるか、または、パンチ穴やステープルされるかが利用者に分からないという問題がでてきた。
本発明は、上述した実情を考慮してなされたものであって、利用者に分かりやすい形で折り位置を指定できるとともに、折りを主目的とした印刷に対して利用者の求めるサイズの揃った印刷ができる画像形成装置、画像処理方法、プログラムおよび記録媒体を提供することを目的とする。
【課題を解決するための手段】
【０００４】
上記の課題を解決するために、請求項１に記載の発明は、ステープル、パンチ可能なフィニッシャ装置とＺ折り装置を有し、入力された画像データに対して所定の画像処理を行い、画像処理された画像データを出力する画像形成装置において、転写用紙に作像される画像に対するＺ折り位置を実現する向きに、作像される画像を回転して印刷することを特徴とする。
請求項２に記載の発明は、請求項１に記載の画像形成装置において、前記Ｚ折り位置を実現する向きに回転した画像のサイズと合致する用紙サイズを載置した給紙トレイを選択することを特徴とする。
請求項３に記載の発明は、請求項１または２に記載の画像形成装置において、前記Ｚ折り位置を実現する向きに回転した画像の用紙サイズが通紙できないサイズの場合には、画像を回転させず、且つ、Ｚ折りをせずに印刷を行うことを特徴とする。
請求項４に記載の発明は、請求項１、２または３に記載の画像形成装置において、利用者が指定したＺ折り位置の指定を転写用紙毎に適用することを特徴とする。
請求項５に記載の発明は、請求項１乃至４のいずれかに記載の画像形成装置において、該画像形成装置で異なる用紙サイズの画像を連続して印刷する場合に、利用者が先頭ページに対して指定したＺ折り位置に合わせて画像を回転することを特徴とする。
請求項６に記載の発明は、請求項５に記載の画像形成装置において、２ページ目以降を１ページ目と同じ幅になるように画像を回転させて印刷を行うことを特徴とする。
請求項７に記載の発明は、請求項６に記載の画像形成装置において、前記回転を行った画像に合わせて転写用紙を選択し、Ｚ折り可能な転写用紙はＺ折りを行い、また、Ｚ折り不可能なサイズの転写用紙にはＺ折りを行わないようにして、異なる用紙サイズの画像を利用者の意図する形で印刷するようにしたことを特徴とする。
請求項８に記載の発明は、請求項５、６または７に記載の画像形成装置において、利用者の指定したＺ折り位置を実現する用紙サイズが存在しない場合には、利用者に知らせるようにして印刷を停止することを特徴とする。
請求項９に記載の発明は、入力された画像データに対して所定の画像処理を行い、画像処理された画像データを出力させるとともに、Ｚ折りを行ってステープルやパンチを行う画像処理方法において、転写用紙に作像される画像に対するＺ折り位置を実現する向きに、作像される画像を回転して印刷することを特徴とする。
請求項１０に記載の発明は、コンピュータに、請求項１乃至８のいずれかに記載の画像形成装置の機能を実行させるためのプログラムであることを特徴とする。
請求項１１に記載の発明は、請求項１０に記載のプログラムを記録したコンピュータ読み取り可能な記録媒体であることを特徴とする。
【発明の効果】
【０００５】
本発明によれば、折り位置を印刷される画像の向きに対して指定できるので、利用者にわかりやすい形での指定方法を提供することができる。
また、Ｚ折り可能な画像の向きを決定しそれに合わせて用紙を選択してから画像を回転させるようにしたので、利用者が指定した通りの折り位置を実現することができる。
また、ページ単位で折り位置に合わせて画像を回転することにより、折りを主目的とした印刷に対して確実に折りが施されたアウトプットを提供することができる。このとき、折り位置と矛盾がある画像の向きの場合には折らずに排紙することにより、利用者に不利益な折が施されることを防ぐことができる。
さらに、１まとめの用紙束としてアウトプットを望む利用者に対しては、先頭ページの画像の向きに対して折り位置を指定すると言うわかりやすい指定方法を提供できる。
また、選択する用紙の幅を揃えることにより、利用者の求めるサイズの揃ったアウトプットを提供することができる。
また、「折る」／「折らない」を折り可能／不可能サイズで判定するだけで、利用者の求める最終的なサイズの揃ったアウトプットを提供することができる。このとき、折り位置が通紙不可能な場合には停止することにより無駄な用紙の消費を防ぐことができる。
【発明を実施するための最良の形態】
【０００６】
以下、図面を参照して、本発明の画像形成装置に係る好適な実施形態を説明する。
図１は、本発明の実施形態に係る画像形成装置の概略構成を示すブロック図である。同図において、画像形成装置は、外部記憶装置３に記憶され実行時にはメモリ２へロードされるプログラムにしたがって本画像形成装置の動作を制御するＣＰＵ（Central Processing Unit）１、表示装置７用の画像データ、印刷処理用の画像データ並びに画像処理中の作業用の画像データ等を格納するためのメモリ２、プログラムや実行するためのデータや実行中のデータを格納する外部記憶装置３、画像データに対して各種の処理を施す画像処理部４、および画像処理された画像データを用紙に印刷する出力装置（画像形成部）５から基本的に構成され、これらの各部はバス９を介して接続されている。
また、このバス９には、ＣＰＵ１に対してデータやコマンドなどを指示する入力装置６と、各種の入力やその結果や警告等を表示する表示装置７が接続されている。
また、出力装置５には、用紙にステープルやパンチ可能なフィニッシャ装置８と用紙をＺ折りするＺ折り装置９とが装着されている。或いは、画像形成装置の一部、或いは画像形成装置の一部を構成する後処理装置としてフィニッシャ装置８、Ｚ折り装置９が装備されている。
【０００７】
ここで、以下の説明の前提となるフィニッシャ装置８、Ｚ折り装置９およびＺ折りについて説明しておく。
フィニッシャ装置８（Ｚ折り装置９と一体型でも可）は、用紙の搬送方向の後端にのみステープルやパンチが可能であり（図２、図３参照）、ＳＥＦ（Short Edge Feed、用紙短辺が先端になる方向で搬送される）、またはＬＥＦ（Long Edge Feed、用紙長辺が先端になる方向で搬送される）のいずれでもステープルやパンチ可能であるが、Ａ４サイズのＬＥＦ幅以上の幅の用紙は通紙不可能とする（この結果、Ｂ４、Ａ３サイズの用紙はＳＥＦのみ通紙可とする）。
Ｚ折り装置９は、用紙の搬送方向先端（前端）がＺ折りされ（図４参照）、Ｚ折り可能な用紙サイズはＡ４、Ｂ４、Ａ３の３種類とし、ＳＥＦの用紙のみＺ折り可能とする。なお、Ｚ折りとは、この例では、用紙を搬送方向中間位置で２つ折りすると共に、搬送方向前半部分を更に２つ折りにすることをいう。
また、Ｚ折り装置を装着した出力装置５では、転写される画像の向きに対して下側が折られる折り方を「下折り」（図５（１）参照）、画像の向きに対して右側が折られる折り方を「右折り」（図５（２）参照）と定義し、それぞれの逆側を折る場合には、同様に「上折り」、「左折り」と定義する。
【０００８】
ホストコンピュータから画像データを受信した画像形成装置では、メモリ２上の印刷用バッファ上に受信した画像データを印刷用の画像データとして展開し、画像処理部４においてメモリ２上の画像データ中から所望の印刷用画像データを取り出して所望の画像処理を施し、その後印刷用の画像データを出力装置５のレーザ書き込み部へＤＭＡ転送し、レーザ書き込み部によって図示しない感光体上に画像情報を書き込んで静電潜像を形成してから、この静電潜像をトナーによって可視像化し、このトナー像を用紙上に転写、定着させることによって印刷を行う。出力装置５が電子写真式の画像形成部である場合には、出力装置５はレーザ書き込み部、感光体、帯電部、転写部、定着部等を備える。出力装置５がインクジェットその他の方式の記録部である場合には、印字信号に応じた印字（印刷）がなされる。
この場合、利用者が入力装置６からＺ折り位置（下折り、右折り、上折りあるいは左折り）を指定すると、画像処理部４にて印刷用バッファ上の画像データをＺ折りが実現できる向きに回転させた画像データを作成してから、この回転した画像データを出力装置５へ転送する。
または、展開が終わった印刷用の画像データを出力装置５へ転送し、出力装置５で転送された画像データをＺ折りが実現できる向きに回転させながら印刷を行っても構わない。
さらに、ホストコンピュータから受信した画像データを印刷用バッファへ展開前にＺ折り位置が分かっていれば、印刷用バッファへ書き込むときに回転させなくてもよいように、予めＺ折り可能な向きに受信画像データを印刷用バッファへ展開するようにしても構わない。
このようにＺ折り可能な向きに回転された画像データを印刷する際、自動トレイ選択ができる装置の場合には、印刷される画像の用紙サイズと向きに合致した用紙を収容した給紙トレイがあるかを検出して、ある場合にはその合致した給紙トレイを選択して印刷する。これにより、Ｚ折り可能な向きの用紙が選択されることになる。
【０００９】
一方、Ｚ折り可能な用紙サイズと向きを持った給紙トレイがない場合、或いは、給紙トレイはあるが用紙なしの場合には、アラート表示などを表示装置７へ行い利用者に給紙トレイの交換や用紙の補充を促す。
さらに、利用者から指定されたトレイの用紙が指定位置にＺ折りできる用紙でないときには、アラート表示などを行い利用者に給紙トレイの交換を促す。
本実施形態の画像形成装置は、以上の動作を転写用紙ごとにすべてのページに対して実行する。
しかし、折り位置を実現するために回転した画像の用紙サイズが通紙不可のサイズだった場合（例えば、Ａ３用紙に対してはポートレートモードで右折り等）には、回転は行わずに印刷を実行するが、Ｚ折りは行わない。
また、折り位置を実現するために回転した画像の用紙サイズがＺ折り不可のサイズとなった場合には、その用紙に対してＺ折りは行わない。その際に回転を行うか否かに関しては特に問わずに、自動トレイ選択の優先順位などで決定してよい。
【００１０】
次に、図６を用いて本実施形態に係る画像形成装置の処理の流れを説明する。
ホストコンピュータから画像データを受信し（ステップＳ１０）、メモリ２上の印刷用バッファ上に受信した画像データを印刷用の画像データに展開する（ステップＳ１１）。
利用者が入力装置６を使ってＺ折り位置の指定を行わなかった場合（ステップＳ１２のＮＯ）、印刷用の画像データを出力装置５のレーザ書き込み部へＤＭＡ転送して、通常の用紙選択を行って（ステップＳ１３）、その選択された用紙に印刷を行う（ステップＳ１４）。
一方、利用者が入力装置６を使ってＺ折り位置の指定を行った場合（ステップＳ１２のＹＥＳ）、且つ、利用者の行った折り位置の指定が「右」であれば（ステップＳ１５の「右」）、印刷される画像の右が搬送方向先端になるように画像を回転させたときの用紙サイズを算出する（ステップＳ１６）。
算出された用紙サイズと同じサイズの用紙の給紙トレイを検索して（ステップＳ１７）、ステップＳ１９へ進む。
一方、利用者の行った折り位置の指定が「下」であれば（ステップＳ１５の「下」）、印刷される画像の下部が搬送方向先端になるように画像を回転させたときの用紙サイズを算出して（ステップＳ１８）、算出された用紙サイズと同じサイズの用紙の給紙トレイを検索して（ステップＳ１７）、ステップＳ１９へ進む。
検索した給紙トレイがあった場合（ステップＳ１９のＹＥＳ）、画像の向きを決定して、画像処理部４は画像バッファの画像データをその向きに回転させる（ステップＳ２０）。ステップＳ１６またはＳ１８からの場合には、Ｚ折り位置が実現できる向きに画像データを回転させる。また、ステップＳ２４からの場合には、画像の向きはそのままであるから、実際には、画像データを回転させない。
【００１１】
ステップＳ１７で検索された給紙トレイの用紙がＺ折り可能なサイズであれば（ステップＳ２１のＹＥＳ）、該ページに対してＺ折りを指示して（ステップＳ２２）、回転された画像データを出力装置５のレーザ書き込み部へＤＭＡ転送して、その選択された給紙トレイの用紙に印刷を行ってからＺ折りを実施する（ステップＳ１４）。
一方、検索した給紙トレイがなかった場合（ステップＳ１９のＮＯ）、且つ、ステップＳ１６またはＳ１８で算出された用紙サイズが通紙可能なサイズでなければ（ステップＳ２３のＮＯ）、回転させない画像を印刷できる用紙サイズの給紙トレイを検索して（ステップＳ２４）、ステップＳ１９へ進む。
一方、ステップＳ１６またはＳ１８で算出された用紙サイズが通紙可能なサイズであれば（ステップＳ２３のＹＥＳ）、アラートを表示して利用者に給紙トレイの交換または用紙の補給を促して、交換や補給が終了するとステップＳ１９へ進む（ステップＳ２５）。
以上のような制御手順とすれば、折り位置を印刷される画像の向きに対して指定できるので、利用者にわかりやすい形での指定方法を提供することができる。
また、Ｚ折り可能な画像の向きを決定しそれに合わせて用紙を選択してから画像を回転させるようにしたので、利用者が指定した通りの折り位置を実現することができる。
また、ページ単位で折り位置に合わせて画像を回転することにより、折りを主目的とした印刷に対して確実に折りが施されたアウトプットを提供することができる。このとき、折り位置と矛盾がある画像の向きの場合には折らずに排紙することにより、利用者に不利益な折が施されることを防ぐことができる。
【００１２】
次に、Ａ４／Ａ３やＡ５／Ａ４などの混載原稿の印刷を行う場合について考える。例えば、Ａ４／Ａ３混載であれば、Ａ４をＬＥＦで印刷し、Ａ３用紙をＺ折りすれば同サイズとなりステープルなどの後処理やファイリング等に適した出力となる。この時、利用者は「先頭ページの画像向き」に対して折り位置を指定することで、混載原稿が正しくスタックされるように印刷させることができる。
例えば、１ページ目がＡ４ポートレートモード、２ページ目がＡ３ランドスケープモードで、「右折り」が指定されている場合を考える（図７参照）。
この場合には、Ｚ折りは搬送方向先端でしかできないため、画像の右側を搬送方向先端になるように画像を回転することとなり、そのためＡ４でＬＥＦの用紙を用いることになる。この場合には、１ページ目がＡ４ポートレートモードであるから、用紙をＬＥＦにした画像を作成する。
しかし、本実施形態で用いるＺ折り装置９ではＡ４のＬＥＦはＺ折りを施すことができないため、そのまま折らずに印刷を行う。
次に、２ページ目以降は１ページ目と同じ幅、且つ、同じ画像の向きとなるように回転する。この場合、２ページはＡ３ランドスケープモードであるから、用紙をＳＥＦにした画像を作成し、通紙可能サイズであるから印刷を行って、Ｚ折り可能サイズであるからＺ折りを施す。
さらに、例えば、１ページ目がＡ４ポートレートモード、２ページ目がＡ３ポートレートモードで、右折りが指定されている場合を考える（図８参照）。
この場合も上記例と同様に考えて、１ページ目の右が先端になるように１ページ目の画像を回転する。続いて、２ページ目以降は１ページ目と幅が揃うように９０度回転し、Ｚ折り可能サイズであれば、Ｚ折りを施し、不可能であればそのまま印刷を行う。
この例では、１ページ目と２ページ目の画像向きが同じ方向から読める向きにならないが、そのような場合には、１ページ目に対して予め定められた関係（１ページ目の画像に対して、２ページ目の画像は左に９０°回転した角度という関係）になる向きに回転して印刷を行う。
【００１３】
また、例えば、１ページ目がＡ４ポートレートモード、２ページ目がＡ５ポートレートモードで、下折りが指定されている場合を考える（図９参照）。
この下折りの場合も上記の例と同様に考えて、１ページ目の下が先端になるように１ページ目の画像を回転する。この時、１ページ目はＺ折り可能サイズとなるため、Ｚ折りして印刷される。続く２ページ目以降は、１ページ目と同じ幅になるように回転されるため、Ａ５の用紙はＬＥＦが選択される。Ａ５のＬＥＦはＺ折り不可のため、そのまま折らずに印刷される。
従って、本実施形態によれば、次の単純なルールでサイズ混載の原稿を正しくスタックすることができる。
（１）指定されたＺ折方向が先端になるように、画像処理部にて先頭ページの画像を回転する。
（２）続くページは先頭ページと同じ幅になるように画像を回転する。
（３）Ｚ折り可能サイズの時にはＺ折りを実施し、不可能サイズのときにはＺ折りを行わないで印刷する。
次に、１枚目のページに対して指定されたＺ折り位置が実現できない場合を考える。
本実施形態のＺ折り装置９において、Ａ３ポートレートモードで右折りを実施しようとすると、Ｚ折り位置を実現できても通紙が不可能になってしまう指定となる。また、Ａ５ポートレートで下折りとすると、１ページ目が折り不可サイズであり、さらに同じ幅の異サイズの用紙も折り不可サイズとなる。
このような場合には、印刷処理を一旦停止し、折り位置が不正と言うエラーを表示装置７に表示し、利用者に指定のやり直しを促すことになる。
【００１４】
次に、図１０を用いて、本実施形態に係る画像形成装置の他の処理の流れを説明する。
ホストコンピュータから画像データを受信し（ステップＳ３０）、メモリ２上の印刷用バッファ上に受信した画像データを印刷用の画像データに展開する（ステップＳ３１）。
利用者が入力装置６を使ってＺ折り位置の指定を行わなかった場合（ステップＳ３２のＮＯ）、印刷用の画像データを出力装置５のレーザ書き込み部へＤＭＡ転送して、通常の用紙選択を行って（ステップＳ３３）、その選択された用紙に印刷を行う（ステップＳ３４）。
一方、利用者が入力装置６を使ってＺ折り位置の指定を行った場合（ステップＳ３２のＹＥＳ）で、且つ、先頭ページであるとき（ステップＳ３５のＹＥＳ）、利用者の行った折り位置の指定が「右」であれば（ステップＳ３６の「右」）、印刷される画像の右が搬送方向先端になるように画像を回転させたときの用紙サイズを算出して（ステップＳ３７）、ステップＳ４０へ進む。
一方、先頭ページで、利用者の行った折り位置の指定が「下」であれば（ステップＳ３６の「下」）、印刷される画像の下部が搬送方向先端になるように画像を回転させたときの用紙サイズを算出して（ステップＳ３８）、ステップＳ４０へ進む。
さらに、先頭ページでなければ（ステップＳ３５のＮＯ）、先頭ページと同じ幅になるように画像を回転させたときの用紙サイズを算出して（ステップＳ３９）、ステップＳ４０へ進む。
算出された用紙サイズと同じサイズの用紙の給紙トレイを検索し（ステップＳ４０）、検索した給紙トレイがあった場合（ステップＳ４１のＹＥＳ）、画像の向きを決定し、画像バッファの画像データをその向きに回転させる（ステップＳ４２）。ステップＳ３７またはＳ３８またはＳ３９からの場合には、Ｚ折り位置が実現できる向きに画像データを回転させる。また、ステップＳ４６からの場合には、画像の向きはそのままであるから、実際には画像データを回転させない。
ステップＳ４０で検索された給紙トレイの用紙がＺ折り可能なサイズであれば（ステップＳ４３のＹＥＳ）、該ページに対してＺ折りを指示して（ステップＳ４４）、回転された画像データを出力装置５のレーザ書き込み部へＤＭＡ転送して、その選択された給紙トレイの用紙に印刷を行う（ステップＳ３４）。
一方、検索した給紙トレイがなかった場合（ステップＳ４１のＮＯ）、且つ、ステップＳ３７またはＳ３８またはＳ３９で算出された用紙サイズが通紙可能なサイズでなければ（ステップＳ４５のＮＯ）、回転させない画像を印刷できる用紙サイズのトレイを検索して（ステップＳ４６）、ステップＳ４１へ進む。
一方、ステップＳ３７またはＳ３８またはＳ３９で算出された用紙サイズが通紙可能なサイズであれば（ステップＳ４５のＹＥＳ）、アラートを表示して利用者に給紙トレイの交換または用紙の補給を促して、交換や補給が終了するとステップＳ４１へ進む（ステップＳ４７）。
【００１５】
以上のように構成すると、１まとめの用紙束としてアウトプットを望む利用者に対しては、先頭ページの画像の向きに対して折り位置を指定すると言うわかりやすい指定方法を提供できる。
また、選択する用紙の幅を揃えることにより、利用者の求めるサイズの揃ったアウトプットを提供することができる。
また、「折る」／「折らない」を折り可能／不可能サイズで判定するだけで、利用者の求める最終的なサイズの揃ったアウトプットを提供することができる。このとき、折り位置が通紙不可能な場合には停止することにより無駄な用紙の消費を防ぐことができる。
本発明は、上述した実施形態のみに限定されたものではない。上述した実施形態を構成する各機能をそれぞれプログラム化し、あらかじめＲＯＭ等の記録媒体に書き込んでおき、画像形成装置にこのＲＯＭ等を装着して、これらのプログラムを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００１６】
なお、プログラムを格納する記録媒体としては半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれであってもよい。
あるいは、ネットワークを介して接続したサーバコンピュータの記憶装置に格納されたプログラムを直接供給されるようにしてもよい。この場合、このサーバコンピュータの記憶装置も本発明の記録媒体に含まれる。
また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
このように、上述した実施形態の機能をプログラム化して流通させることによって、コスト、可搬性、汎用性を向上させることができる。
【図面の簡単な説明】
【００１７】
【図１】本発明の実施形態に係る画像形成装置の概略構成を示すブロック図。
【図２】実施形態で仮定したステープル可能位置を説明する図。
【図３】実施形態で仮定したパンチ可能位置を説明する図。
【図４】実施形態で仮定したＺ折りとＺ折り方向を説明する図。
【図５】下折りおよび右折りの定義を説明する図。
【図６】本実施形態に係る画像形成装置の処理の流れを示すフローチャート。
【図７】１ページ目がＡ４ポートレートモード、２ページ目がＡ３ランドスケープモードで、右折りが指定されている場合を説明する図。
【図８】１ページ目がＡ４ポートレートモード、２ページ目がＡ３ポートレートモードで、右折りが指定されている場合を説明する図。
【図９】１ページ目がＡ４ポートレート、２ページ目がＡ５ポートレートモードで、下折りが指定されている場合を説明する図。
【図１０】本実施形態に係る画像形成装置の他の処理の流れを示すフローチャート。
【符号の説明】
【００１８】
１  ＣＰＵ、２  メモリ、３  外部記憶装置、４  画像処理部、５  出力装置、６  入力装置、７  表示装置、８  フィニッシャ装置、９  Ｚ折り装置、１０  バス。
【図１】
2005269174.tif 000003
【図２】
2005269174.tif 000004
【図３】
2005269174.tif 000005
【図４】
2005269174.tif 000006
【図５】
2005269174.tif 000007
【図６】
2005269174.tif 000008
【図７】
2005269174.tif 000009
【図８】
2005269174.tif 000010
【図９】
2005269174.tif 000011
【図１０】
2005269174.tif 000012